(57)【要約】【課題】  レンズホルダが所望に成形される発光体および照明装置を提供する。【解決手段】  発光体１は、四角形状の下面６ａの一端側２ａに一対の電極８ａ，８ｂおよび他端側２ｂに放熱板９がそれぞれ露出するように設けられたＬＥＤ素子２と、一対の電極８ａ，８ｂおよび放熱板９がそれぞれはんだ付けされ、ＬＥＤ素子２の下面６ａの４角部側からＬＥＤ素子２の外方にそれぞれ突出する突出部１５が設けられたランド１３を有する基板３と、ＬＥＤ素子２が挿通する四角形状の開口部２３および開口部２３の４角部側にそれぞれ連設されランド１３の突出部１５を露出する切り欠き部２４を有する底板部２１を備え、開口部２３にＬＥＤ素子２を挿入させて底板部２１が基板３に取り付けられた筒状のレンズホルダ４と、レンズホルダ４内に取り付けられて、ＬＥＤ素子２の放射光を制御するレンズ５を具備している。【選択図】図１
2013114977.tif 000002
【特許請求の範囲】
【請求項１】
四角形状の下面を有し、この下面の一端側に一対の電極および他端側に放熱板がそれぞれ露出するように設けられたＬＥＤ素子と；
前記一対の電極および前記放熱板がそれぞれはんだ付けされ、前記ＬＥＤ素子の下面の４角部側から前記ＬＥＤ素子の外方にそれぞれ突出する突出部が設けられたランドを有する基板と；
前記ＬＥＤ素子が挿通する四角形状の開口部およびこの開口部の４角部側にそれぞれ連設され前記ランドの突出部を露出する切り欠き部を有する底板部を備え、前記開口部に前記ＬＥＤ素子を挿入させて前記底板部が前記基板に取り付けられた筒状のレンズホルダと；
このレンズホルダ内に取り付けられ、前記ＬＥＤ素子の放射光を制御するレンズと；
を具備していることを特徴とする発光体。
【請求項２】
請求項１記載の発光体と；
この発光体を配設している装置本体と；
前記発光体のＬＥＤ素子に電力を供給する電源装置と；
を具備していることを特徴とする照明装置。
【発明の詳細な説明】
【技術分野】
【０００１】
本発明の実施形態は、ＬＥＤ素子から放射される光の配光を制御するレンズが設けられた発光体および照明装置に関する。
【背景技術】
【０００２】
ＬＥＤ素子を光源とする発光体には、ＬＥＤ素子の放射光の配光を制御するレンズが設けられ、そのレンズをレンズホルダで保持しているものがある。そして、レンズホルダは、ＬＥＤ素子を内包してＬＥＤ素子が実装された基板に取り付けられている（例えば特許文献１参照。）。
【０００３】
そして、ＬＥＤ素子には、実装面が四角形状に形成されたものがある。このＬＥＤ素子が実装されたはんだ面（ランド）には、ＬＥＤ素子の実装面の４角部側から外方に突出するように設けられた突出部を有するものがある。この突出部は、実装面のはんだ逃げ部となっている。基板は、そのはんだ面および突出部を除いてレジストが塗布されている。そして、レンズホルダは、その底面側にＬＥＤ素子の実装面を包囲する四角形状の開口部を有して形成され、その開口部にＬＥＤ素子を挿入させて基板に取り付けられている。
【先行技術文献】
【特許文献】
【０００４】
【特許文献１】特開２００８−１５２２０号公報（第５頁、第５図）
【発明の概要】
【発明が解決しようとする課題】
【０００５】
レンズホルダの開口部の４角部側は、レジストが形成されていないはんだ面の突出部に位置しているので、突出部で盛り上がったはんだとの間で段差が生じて、レンズホルダおよびレンズからの応力が集中する。
【０００６】
また、前記４角部側は、レンズホルダの成形時に歪みが発生しやすいので、残留応力が発生しやすく、ＬＥＤの発熱によって角欠けが発生しやすい。これにより、レンズホルダが幾分変形して、ＬＥＤ素子とレンズとの位置関係にずれが生じるなど、レンズホルダの成形に不具合が生じることがあった。
【０００７】
本発明の実施形態は、レンズホルダが所望に成形される発光体および照明装置を提供することを目的とする。
【課題を解決するための手段】
【０００８】
本発明の実施形態の発光体は、ＬＥＤ素子、基板、レンズホルダおよびレンズを備える。
【０００９】
ＬＥＤ素子は、四角形状の下面を有してなり、この下面の一端側に一対の電極および他端側に放熱板がそれぞれ露出するように設けられている。
【００１０】
基板は、ＬＥＤ素子の一対の電極および放熱板がそれぞれはんだ付けされるランドを有する。このランドは、ＬＥＤ素子の下面の４角部側からＬＥＤ素子の外方にそれぞれ突出する突出部が設けられている。
【００１１】
レンズホルダは、基板に取り付けられる底板部を有する筒状に形成されている。底板部は、ＬＥＤ素子が挿通する四角形状の開口部および開口部の４角部側にそれぞれ連設されランドの突出部を露出する切り欠き部を有している。そして、底板部は、開口部にＬＥＤ素子を挿入させて基板に取り付けられる。
【００１２】
レンズは、レンズホルダ内に取り付けられ、ＬＥＤ素子の放射光を制御する。
【発明の効果】
【００１３】
本発明の実施形態によれば、レンズホルダの底板部は、開口部の近傍が基板に形成されたランドの突出部に位置しないので、底板部の開口部の近傍にレンズなどからの応力が集中することがなく、これにより、レンズホルダの変形などが防止されて、ＬＥＤ素子とレンズとが所定の位置関係となり、ＬＥＤ素子の放射光の配光を所望に得ることが期待できる。
【図面の簡単な説明】
【００１４】
【図１】本発明の第１の実施形態を示す発光体の概略上面図である。
【図２】同じく、ＬＥＤ素子を示し、（ａ）は概略側面図、（ｂ）は下面図である。
【図３】同じく、基板の概略上面図である。
【図４】同じく、ＬＥＤ素子の実装を示すランドの概略上面図である。
【図５】同じく、レンズホルダを示し、（ａ）は概略上面図、（ｂ）は概略下面図である。
【図６】同じく、図１の基板の短辺側からの見た概略側面図である。
【図７】同じく、図１のＡ−Ａ矢視方向の概略側断面図である。
【図８】本発明の第２の実施形態を示す照明装置の概略縦断面図である。
【発明を実施するための形態】
【００１５】
以下、本発明の一実施の形態について、図面を参照して説明する。まず、本発明の第１の実施形態について説明する。
【００１６】
本実施形態の発光体１は、図１ないし図７に示すように構成される。図１において、発光体１は、ＬＥＤ素子２、基板３、レンズホルダ４およびレンズ５を有して形成されている。発光体１は、スポットライトや標識灯などの照明装置に配設され、ＬＥＤ素子２から放射された光が所望の配光となるようにレンズ５により制御されるものである。ＬＥＤ素子２は、基板３に複数個が設けられ、ここでは３個が設けられている。
【００１７】
図２において、ＬＥＤ素子２は、合成樹脂などからなり直方体に形成された本体部６の内部に図示しないＬＥＤベアチップが設けられている。そして、当該ＬＥＤベアチップを封止して、図２（ａ）に示すように、透光性の封止樹脂７が半球状に設けられている。封止樹脂７は、例えばシリコーン樹脂からなり、ＬＥＤ素子２から放射される光の光色に応じて、図示しない蛍光体が含有されているものもある。封止樹脂７は、ＬＥＤ素子２の発光面となっている。
【００１８】
そして、本体部６は、図２（ｂ）に示すように、四角形状（長方形状）の下面６ａを有し、この下面６ａの一端側２ａに一対の電極８ａ，８ｂが露出するように設けられ、下面６ａの他端側２ｂに放熱板９が露出するように設けられている。一対の電極８ａ，８ｂおよび放熱板９は、それぞれ金属板例えば銅（Ｃｕ）板からなり長方形に形成されている。一対の電極８ａ，８ｂは、本体部６内においてＬＥＤベアチップに電気接続されている。放熱板９は、ＬＥＤベアチップに発生した熱を伝熱（放熱）させるものであり、本体部６の下面６ａにおいて比較的大面積に形成されている。
【００１９】
基板３は、高熱伝導率を有する金属板例えばアルミニウム（Ａｌ）板からなり、図３に示すように、長方形に形成されている。そして、基板３は、その一面３ａの全域に図示しない絶縁層が形成されている。この絶縁層の膜厚は、例えば８５μｍである。そして、絶縁層上に、それぞれ例えば膜厚３５μｍの銅箔からなる配線パターン１０ａ，１０ｂ，１０ｃ，１０ｄおよび放熱パターン１１が形成されている。配線パターン１０ａ，１０ｂ，１０ｃ，１０ｄおよび放熱パターン１１は、それぞれの最小間隔においても最小限の絶縁距離を確保している。放熱パターン１１は、可能な限り、大面積に形成されている。
【００２０】
そして、図３中、斜線部および塗り潰した丸部を除き、絶縁層上に図示しない白色のレジストが塗布されている。このレジストの膜厚は、例えば６０〜１００μｍである。これにより、配線パターン１０ａ，１０ｂ，１０ｃ，１０ｄおよび放熱パターン１１に、一対の入力端子１２ａ，１２ｂ、ランド１３および試験用入力端子１４ａ，１４ｂが形成されている。
【００２１】
入力端子１２ａ，１２ｂは、基板３の長手方向の一端側端部３ｂに並設するように設けられている。そして、正極側の入力端子１２ａは、配線パターン１０ａに設けられ、負極側の入力端子１２ｂは、配線パターン１０ｂに設けられている。入力端子１２ａの近傍には、正極側を示す表示１２ｃが設けられている。入力端子１２ａ，１２ｂには、ＬＥＤ素子２に電力を供給する電源装置からのリード線（出力線）が接続される。入力端子１２ａ，１２ｂ間には、複数個のＬＥＤ素子２が配線パターン１０ａ，１０ｃ，１０ｄ，１０ｂにより直列接続される。
【００２２】
そして、配線パターン１０ａおよび配線パターン１０ｃと、配線パターン１０ｃおよび配線パターン１０ｄと、配線パターン１０ｄおよび配線パターン１０ｂとに、それぞれ並設するように一対のランド部１３ａ，１３ｂが設けられているとともに、ランド部１３ａ，１３ｂの近傍に試験用入力端子１４ａ，１４ｂが設けられている。ランド部１３ａ，１３ｂは、ＬＥＤ素子２の一対の電極８ａ，８ｂがそれぞれはんだ付けされるものであり、電極８ａ，８ｂと略同等の大きさに形成されている。試験用入力端子１４ａ，１４ｂは、小円に形成されており、ＬＥＤ素子２の点灯確認するときに、接続ピンが接触されて供給電源が印加されるものである。
【００２３】
そして、放熱パターン１１には、ランド部１３ａ，１３ｂに対するランド部１３ｃが設けられている。ランド部１３ｃは、ＬＥＤ素子２の放熱板９がはんだ付けされるものであり、放熱板９と略同等の大きさに形成されている。
【００２４】
基板３は、図４に示すように、ランド１３の一対のランド部１３ａ，１３ｂにＬＥＤ素子２の一対の電極８ａ，８ｂがはんだ付けされ、ランド部１３ｃにＬＥＤ素子２の放熱板９がはんだ付けされることにより、ＬＥＤ素子２を実装している。そして、ランド１３は、ランド部１３ａ〜１３ｃのそれぞれの角部１３ｄに外方に突出する突出部１５が設けられている。すなわち、ランド部１３ａ〜１３ｃは、ランド１３にＬＥＤ素子２が実装された状態において、それらの突出部１５がＬＥＤ素子２の下面６ａの４角部側からＬＥＤ素子２の外方に所定長突出するように設けられている。突出部１５は、略長方形に形成されており、ランド１３にＬＥＤ素子２がはんだ付けされるときに、一部のはんだが流れる逃げ部となっている。
【００２５】
図３において、ランド１３は、基板３の短手方向中央部において、基板３の長手方向に沿って等間隔に３個のＬＥＤ素子２が配設可能となっている。そして、基板３に例えば２個のＬＥＤ素子２を実装するときには、ＬＥＤ素子２がはんだ付けされないランド１３のランド１３ａ，１３ｂ間が例えば金属板１６により電気接続されるものである。
【００２６】
そして、基板３の短手方向両端部には、基板３の長手方向に沿って複数個の取付け孔１７が設けられている。この取付け孔１７は、基板３を装置本体に取り付けるために用いられる。また、図１に示すように、取付け孔１７を介して基板３にレンズホルダ４が取り付けられている。
【００２７】
レンズホルダ４は、基板３に実装されたＬＥＤ素子２に対応して設けられている。図５において、レンズホルダ４は、合成樹脂例えばポリカーボネート樹脂により、有底の筒状に形成されたホルダ部１８および取付け部１９が一体に形成されている。ホルダ部１８は、図５（ａ）に示すように、上面視略長円形状に形成されており、筒部２０および底板部２１に形成されている。筒部２０は、底板部２１に立設し、底板部２１から所定の高さを有している。そして、筒部２０は、図６に示すように、外面側に凸部２０ａや上端側に切り欠き部２２などを有している。
【００２８】
そして、ホルダ部１８の底板部２１は、図５に示すように、下面２１ａからホルダ１８内に貫通する開口部２３および切り欠き部２４を有するように形成されている。開口部２３は、長円形状の底板部２１の中央部に、ＬＥＤ素子２の本体部６が挿通可能な四角形状に形成されているとともに、その四角形状の長手方向が底板部２１の短軸方向を向くように形成されている。また、開口部２３は、ＬＥＤ素子２が挿入された状態において、ＬＥＤ素子２の本体部６が近接する大きさに形成されている。当該近接の程度は、例えば０．１〜１．０ｍｍである。
【００２９】
切り欠き部２４は、四角形状の開口部２３の４角部側にそれぞれ連設するように形成されており、ここでは円形状に形成されている。また、切り欠き部２４は、基板３に形成されたランド１３の突出部１５を内包可能な大きさに形成され、開口部２３にＬＥＤ素子２が挿入しているときに突出部１５が露出するように形成されている。
【００３０】
底板部２１には、さらに開口部２３を挟むようにして、長円形状の長軸方向の両側に開口２５，２５が形成され、長円形状の短軸方向に開口２６，２７が形成されている。また、底板部２１には、図５（ｂ）に示すように、円弧状の長方形に形成された開口２８，２８が設けられている。
【００３１】
そして、ホルダ部２０の上端側内面には、内方に突出する突起部２９が所定の周回に亘って形成されており、当該突起部２９に嵌合凹部３０が設けられている。この嵌合凹部３０には、後述するレンズ５の嵌合凸部３４が嵌合される。
【００３２】
そして、レンズホルダ４の取付け部１９は、底板部２１に対して１８０°回転対称となるようにして底板部２１から外方に突出形成されている。取付け部１９の下面１９ａは、底板部２１の下面２１ａと同一面状となっている。取付け部１９には、レンズホルダ４を基板２に取り付けるための取付け穴３１が設けられている。この取付け穴３１が基板３の取付け孔１７と重なるように取付け部１９が形成されている。取付け穴３１は、基板３の取付け孔１７よりも若干径小に形成されている。
【００３３】
取付け部１９の取付け穴３１は、底板部２１の開口部２３にＬＥＤ素子２が挿入されて底板部２１の下面２１ａが基板３の一面３ａ側に設置されると、図１に示すように、基板３の取付け孔１７に位置する。この状態で、例えば基板３の一面３ａ側から図示しない頭部付きねじが取付け穴３１および取付け孔１７挿入される。そして、基板３の他面側においてねじにナットが螺着されて、ねじの頭部とナットとにより、基板３および取付け部１９が共締めされる。これにより、底板部２１が基板３の一面３ａ側のレジスト上に密接して取り付けられる。すなわち、レンズホルダ４は、ＬＥＤ素子２を内包するようにして基板３に取り付けられる。このレンズホルダ４の基板３への取り付けにより、ＬＥＤ素子２とレンズ５とが所定の位置関係となっている。
【００３４】
図７において、レンズ５は、例えばアクリル（ＰＭＭＡ）樹脂により、略砲弾状に形成されている。そして、レンズ５は、一端側５ａの端面５ｃが幾分凹んだ凹面３２に形成され、略球面状の他端側５ｂの下部にＬＥＤ素子２の封止樹脂７（発光部）を収納可能な凹部３３が形成されている。
【００３５】
また、レンズ５は、一端側５ａの外面に外方に突出する嵌合凸部３４，３４が設けられている。この嵌合凸部３４，３４は、レンズ５の周回方向に１８０°回転対称に形成されていて、レンズホルダ４の筒部２０の上端側に設けられた嵌合凹部３０，３０に嵌合するものである。嵌合凸部３４，３４は、レンズ５を筒部２０内に挿入した後、レンズ５を周回方向に幾分回動させることにより、突起部２９，２９の嵌合凹部３０，３０に嵌合する。これにより、レンズ５は、レンズホルダ４内に取り付けられる。レンズ５は、レンズホルダ４を基板３に取り付ける前に、前もってレンズホルダ４内に取り付けられている。
【００３６】
そして、レンズ５は、レンズホルダ４が基板３に取り付けられると、凹部３３内にＬＥＤ素子２の封止樹脂７（発光部）が挿入され、ＬＥＤ素子２との位置関係が所定の位置関係となる。ＬＥＤ素子２から放射された放射光は、レンズ５により屈折されて制御され、一端側５ａの端面５ｃ（凹面３２）から出射される。レンズ５は、ＬＥＤ素子２の放射光を所望の配光に制御する。
【００３７】
次に、第１の実施形態の作用について述べる。
【００３８】
レンズホルダ4を基板３に取り付けると、レンズ６の凹部３３にＬＥＤ素子２の封止樹脂７（発光部）が収納されるようにしてＬＥＤ素子２とレンズ５とが正対する。レンズホルダ４の底板部２１の開口部２３およびその周囲は、レンズ５の直下であるので、開口部２３の周りの近傍にレンズ５を取り付けたレンズホルダ４からの応力が集中する。
【００３９】
底板部２１は、四角形状の開口部２３の４角部側にそれぞれ切り欠き部２４を有していて、この切り欠き部２４が基板３のランド１３の突出部１５を露出させている。開口部２３近傍の底板部２１は、ランド１３の突出部１５に位置しないで、突出部１５のはんだとの間に段差が生じることがなく、基板３のレジスト上に平坦に密接している。これにより、レンズホルダ４からの応力は、開口部２３近傍において均一に加わり、レンズホルダ４が変形しにくくなる。
【００４０】
また、ＬＥＤ素子２の一対の電極８ａ，８ｂに電流が流れてＬＥＤ素子２が点灯し発熱しても、開口部２３の４角部側に角欠けが起こりにくくなる。こうして、レンズホルダ４は、基板３の一面３ａ側に所定に成形される。
【００４１】
そして、ＬＥＤ素子２とレンズ５とは、所定の位置関係となり、ＬＥＤ素子２から放射された放射光は、レンズ５により制御されて、レンズ５の一端側５ａの端面５ｃ（凹面３２）から外方に出射される。この出射光により、所定の配光が形成される。
【００４２】
本実施形態の発光体１によれば、レンズホルダ４の底板部２１は、開口部２３の近傍が基板３に形成されたランド１３の突出部１５に位置しないので、底板部２１の開口部２３の近傍にレンズ５およびレンズホルダ４からの応力が集中することがなく、これにより、レンズホルダ４の変形などが防止されて、ＬＥＤ素子２とレンズ５とを所定の位置関係とすることができて、ＬＥＤ素子２の放射光を所定の配光にすることができるという効果を有する。
【００４３】
そして、レンズホルダ４の開口部２３は、ＬＥＤ素子２の本体部６が近接するように形成されているので、開口部２３にＬＥＤ素子２を挿入してレンズホルダ４を基板３に取り付けることにより、ＬＥＤ素子２とレンズ５との位置関係を容易に所定の位置関係とすることができるという効果を有する。
【００４４】
次に、本発明の第２の実施形態について説明する。
【００４５】
本実施形態の照明装置は、空港の滑走路や誘導路などの地面（路面）に埋め込み設置される埋込形航空標識灯４１であり、図８に示すように構成される。
【００４６】
埋込形航空標識灯４１は、図１に示す発光体１、装置本体としての灯体４２および発光体１のＬＥＤ素子２を点灯する電源装置４３を有してなり、さらに灯体４２を取り付けて地面（路面）４４に埋め込まれて設置されている設置体４５を備えている。
【００４７】
設置体４５は、有底で略円筒状の基台４６、この基台４６上に取り付けられた埋め込み深さ調整用の略円筒状の間座４７およびこの間座４７上に取り付けられた水平軸調整のための円環状の調整リング４８を備えている。そして、設置体４５は、調整リング４８の上面４８ａ周辺部が地面４４と略同一高さとなるように埋め込み設置されている。
【００４８】
灯体４２は、略円盤状の上部灯体４９および略皿状の下部灯体５０による２つ割り構造に形成されている。そして、上部灯体４９および下部灯体５０は、Ｏリング５１を介して覆合され、ビス５２により固着されている。これにより、内部空間５３が液密に形成されている。上部灯体４９は、高強度金属例えばアルミニウム（Ａｌ）合金を鋳造して形成され、下部灯体５０は、例えばアルミダイキャストにより形成されている。
【００４９】
上部灯体４９の上面４９ａは、平坦状の頂面５４を有するように膨出されている。そして、頂面５４の一端側が切り欠きされて、出射口としての光導出溝５５が形成されている。光導出溝５５は、内部空間５３に連通し、平坦状の頂面５４に対して斜め上方に向かうように形成されている。
【００５０】
下部灯体５０は、内部空間５３に平面状の取付け板５６を配設している。この取付け板５６に、取付け部材５７を介して発光体１が取り付けられている。発光体１は、必要に応じて設けられるスペーサ５８を介して取付け部材５７に取り付けられている。
【００５１】
また、上部灯体４９には、プリズム５９を収容するプリズム収容部６０が形成されている。このプリズム収容部６０は、光導出溝５５に連通されている。プリズム５９は、例えば強化ガラスからなり、略台形状に形成され、プリズム収容部６０に収納されている。そして、プリズム５９には、例えばシリコーンゴム製の枠状をなすパッキング６１が配設されている。プリズム５９は、光導出溝５５および内部空間５３に液密に配設されている。
【００５２】
プリズム５９は、発光体１からの光が入射され、この光が光導出溝５５から斜め上方に出射されるように光路規制を行うものである。そして、発光体１は、その放射光がプリズム５９に入射するように、プリズム５９の入射面に対向して内部空間５３に配設されている。
【００５３】
発光体１は、図示しないリード線により、取付け板５６に配設された電源装置４３に接続されている。電源装置４３は、図示しないリード線により、下部灯体５０の底面部６２に設けられた受電端子６３に接続されている。電源装置４３は、受電端子６３に外部電源が供給されると、発光体１のＬＥＤ素子２に所定の電力（電流）を供給する既存の構成により形成されている。発光体１のＬＥＤ素子２は、電源装置４３からの電力の供給により、点灯して可視光を放射する。
【００５４】
そして、灯体４２は、調整リング４８に設けられたスタットボルト６４およびナット６５により固定されて、調整リング４８に収容されている。調整リング４８は、アルミニウム（Ａｌ）合金により成型されている。そして、調整リング４８は、間座４７に固定されている。間座４７は、例えばアルミニウム合金からなり、基台４６に跨座しているとともに、基台４６に固定されている。
【００５５】
基台４６は、例えばアルミニウム合金からなり、例えば鋳造により、上端側４６ａに開口部６６、側面４６ｂに接続部６７および内部に内部空間６８を有する有底の箱状（略円筒状）に形成されている。接続部６７は、配管６９が嵌入される貫通口であり、配管６９が接続されている。この配管６９を介して図示しないハンドホールから電源ケーブル７０が引き込まれている。電源ケーブル７０の先端には、レセプタクル７１が取り付けられている。
【００５６】
灯体４２の下部灯体５０の底面部６２の下面６２ｂには、受電端子６３を配設している防水コネクタ７２が設けられている。この防水コネクタ７２に装着されるコネクタ７３を有するプラグ付き電源線７４，７４が基台４６内に収納されている。当該電源線７４，７４は、電源ケーブル７０のレセプタクル７１および防水コネクタ７２（受電端子６３）を電気接続している。そして、レセプタクル７１、コネクタ７３およびプラグ付き電源線７４，７４などは、防水性を有している。
【００５７】
電源ケーブル７０は、図示しない定電流電源装置（ＣＣＲ）から出力された交流定電流を電源装置４３に供給する。これにより、電源装置４３から発光体１のＬＥＤ素子２に所定の電力（電流）が供給されてＬＥＤ素子２が点灯する。発光体１から放射された放射光は、プリズム５９により光路制御されて光導出溝５５から外方の所定方向に出射される。
【００５８】
本実施形態の埋込形航空標識灯４１によれば、放射光が所定の配光となる発光体１を具備するので、プリズム５９を介して灯体４２の光導出溝５５から所望の方向に所望の配光で放射光を出射させることができ、これにより、航空機の操縦者が灯体４２からの出射光に容易に視認できるという効果を有する。
【００５９】
なお、本実施形態は、照明装置として埋込形航空標識灯４１で説明したが、これに限らず、例えば店舗、スタジオや劇場などに使用されるスポットライト、所定エリアを照明するダウンライトなどの埋込灯や一般照明灯、看板や標識などを照明する標識灯や案内灯、あるいは周囲を照明するための設置灯や屋外灯などに適用してもよい。
【符号の説明】
【００６０】
１…発光体、  ２…ＬＥＤ素子、  ３…基板、  ４…レンズホルダ、  ５…レンズ、  ４１…照明装置としての埋込形航空標識灯、  ４２…装置本体としての灯体、  ４３…電源装置
【図１】
2013114977.tif 000003
【図２】
2013114977.tif 000004
【図４】
2013114977.tif 000005
【図５】
2013114977.tif 000006
【図６】
2013114977.tif 000007
【図７】
2013114977.tif 000008
【図８】
2013114977.tif 000009
【図３】
2013114977.tif 000010